(57)【要約】【課題】作業ステージ上面の足場板妻側端部に妻側幅木を簡単容易に取り付けることができる妻側幅木の取付装置を提供する。【解決手段】梁枠２，２間に複数の足場板３を架け渡して作業ステージＳを形成した高所仮設ステージにおいて、作業ステージＳの足場板妻側端部に妻側幅木Ａを取り付けるにあたり、妻側幅木Ａを、幅木本体４と、幅木本体４の外側面側に外側へ張り出すように立設した、上下方向に伸縮自在で常時はバネ９で伸張方向に付勢された複数のアーム５と、各アーム５の上端部に設けた受け金具６及び下端部に設けたフック部材７とで構成し、作業ステージＳの外周縁に沿った梁枠２上に手摺り２３を仮設し、各アーム５を収縮させた状態で、受け金具６を手摺り２３の横材２２に嵌合させ、フック部材７を作業ステージＳの外周縁に沿った梁枠２に係合させて、幅木本体４を足場板妻側端部に載置固定する。【選択図】図２
2010229699.tif 000002
【特許請求の範囲】
【請求項１】
複数の支柱の上部に並設した梁枠の対向する梁枠間に複数の足場板を並列状態に架け渡すことによって作業ステージを形成した高所仮設ステージにおいて、作業ステージの外周縁に沿った足場板妻側端部に妻側幅木を取り付けるにあたり、この妻側幅木を、作業ステージ上面の足場板妻側端部に起立姿勢に載置される幅木本体と、幅木本体の外側面側に取付部材を介して外側へ張り出すように立設した、上下方向に伸縮自在で常時はバネで伸張方向に付勢された複数のアームと、各アームの上端部に設けた受け金具及び下端部に設けたフック部材とにより構成し、作業ステージの外周縁に沿った梁枠上に複数の支柱とこれらをつなぐ横材とからなる手摺りを仮設し、各アームをバネに抗して収縮させた状態で、受け金具を手摺りの横材に下方より嵌合させると共に、フック部材を作業ステージの外周縁に沿った梁枠に上方より係合させて、幅木本体を作業ステージ上面の足場板妻側端部に載置固定するようにした高所仮設ステージにおける妻側幅木の取付装置。
【請求項２】
前記各アームは、上部筒体と、上部筒体に伸縮自在に嵌合され、幅木本体の外側面側に取付部材を介して外側へ張り出すように取り付けられた下部筒体と、上下両筒体間に介装されたバネとからなり、上部筒体の上端部に受け金具を取り付け、下部筒体の下端部にフック部材を取り付け、上下両筒体間には下部筒体からの上部筒体の抜け出しを阻止するストッパーを介設した請求項１に記載の高所仮設ステージにおける妻側幅木の取付装置。
【請求項３】
前記幅木本体の一端部にはこれに連接される他の妻側幅木の幅木本体の端部に重合して当該端部を内側から被う連接用カバーを取り付けた請求項１又は２に記載の高所仮設ステージにおける妻側幅木の取付装置。
【発明の詳細な説明】
【技術分野】
【０００１】
本発明は、高所仮設ステージにおいてステージの足場板妻側端部に妻側幅木を取り付ける妻側幅木の取付装置に関する。
【背景技術】
【０００２】
本発明の一実施形態を示す図１〜図３には、高所仮設ステージにおける作業ステージの足場板桁側端部に取り付けた桁側幅木Ｂ及び足場板妻側端部に取り付けた妻側幅木Ａが示されている。即ち、図１は高所仮設ステージの全体を示す外観斜視図、図２の(a) はこの高所仮設ステージに配設された妻側幅木の取付状態を示す正面図、(b) は平面図であり、図３は図１の矢印Ｘで示す部分を上から見た斜視図であり、図１の高所仮設ステージは、複数の支柱１の上部に並設した梁枠２の対向する梁枠２，２間に複数の足場板３を並列状態に架け渡すことによって作業ステージＳを形成したもので、この作業ステージＳの外周縁に沿った足場板桁側端部に桁側幅木Ｂが、また足場板妻側端部に妻側幅木Ａが夫々取り付けられている。
【発明の概要】
【発明が解決しようとする課題】
【０００３】
上記作業ステージＳに桁側幅木Ｂを取り付けるには、図３に示すように、作業ステージＳの端部にある足場板３上面の桁側端部に桁側幅木Ｂを載置して、この桁側幅木Ｂに設けられたロッド差込孔３１から差し込んだ固定用ロッド３２を、足場板３の桁側端部に設けてあるロッド挿入孔３３に挿入することによって、桁側幅木Ｂを簡単に取付け固定することができるが、妻側幅木Ａを作業ステージＳの端部にある足場板３上面の妻側端部に取り付ける場合、足場板３の妻側端部には桁側端部のようなロッド挿入孔が設けられていないため、従来では、例えば妻側幅木の端部に複数の横孔を設け、この横孔にワイヤーを通して支柱１に縛り付けることにより、妻側幅木を作業ステージの足場板妻側端部に取り付け固定していた。しかしながら、このような方法では、妻側幅木を的確に取り付けることが難しい上に、その取付けに非常に手間がかかっていた。
【０００４】
本発明は、上記の事情に鑑み、作業ステージ上面の足場板妻側端部に妻側幅木を簡単容易に取り付けることができる妻側幅木の取付装置を提供することを目的としている。
【課題を解決するための手段】
【０００５】
上記課題を解決するための手段を、後述する実施形態の参照符号を付して説明すると、請求項１に係る発明は、複数の支柱１の上部に並設した梁枠の対向する梁枠２，２間に複数の足場板３を並列状態に架け渡すことによって作業ステージＳを形成した高所仮設ステージにおいて、作業ステージＳの外周縁に沿った足場板妻側端部に妻側幅木Ａを取り付けるにあたり、この妻側幅木Ａを、作業ステージＳ上面の足場板妻側端部に起立姿勢に載置される幅木本体４と、幅木本体４の外側面側に取付部材８を介して外側へ張り出すように立設した、上下方向に伸縮自在で常時はバネ９で伸張方向に付勢された複数のアーム５と、各アーム５の上端部に設けた受け金具６及び下端部に設けたフック部材７とにより構成し、作業ステージＳの外周縁に沿った梁枠２上に複数の支柱１とこれらをつなぐ横材２２とからなる手摺り２３を仮設し、各アーム５をバネ９に抗して収縮させた状態で、受け金具６を手摺り２３の横材２２に下方より嵌合させると共に、フック部材７を作業ステージＳの外周縁に沿った梁枠２に上方より係合させて、幅木本体４を作業ステージＳ上面の足場板妻側端部に載置固定するようにしたことを特徴とする。
【０００６】
請求項２は、請求項１に記載の高所仮設ステージにおける妻側幅木の取付装置において、前記各アーム５は、上部筒体１０と、上部筒体１０に伸縮自在に嵌合され、幅木本体４の外側面側に取付部材８を介して外側へ張り出すように取り付けられた下部筒体１１と、上下両筒体１０，１１間に介装されたバネ９とからなり、上部筒体１０の上端部に受け金具６を取り付け、下部筒体１１の下端部にフック部材７を取り付け、上下両筒体１０，１１間には下部筒体１１からの上部筒体１０の抜け出しを阻止するストッパー１２を介設したことを特徴とする。
【０００７】
請求項３は、請求項１又は２に記載の高所仮設ステージにおける妻側幅木の取付装置において、前記幅木本体４の一端部にはこれに連接される他の妻側幅木Ａの幅木本体４の端部に重合して当該端部を内側から被う連接用カバー１３を取り付けたことを特徴としている。
【発明の効果】
【０００８】
上記解決手段による発明の効果を、後述する実施形態の参照符号を付して説明すると、請求項１に係る発明によれば、妻側幅木Ａを作業ステージＳの足場板妻側端部に取り付けるには、例えば図６及び図７に示すように、作業者がアーム５を掴んで前傾姿勢の状態で受け金具６を手摺り２３の横材２２に下方より嵌合させ、この状態でアーム５を収縮させながら前方へ回転させて、フック部材７をトラス梁Ｔの梁枠２に上方より係合させるようにすることにより、幅木本体４を作業ステージＳ上面の足場板妻側端部に起立姿勢に載置固定できるから、妻側幅木Ａの取付作業を簡単容易に行うことができる。
【０００９】
請求項２に係る発明によれば、各アーム５は、上部筒体１０と、上部筒体１０に伸縮自在に嵌合され、幅木本体４の外側面側に取付部材８を介して外側へ張り出すように取り付けられた下部筒体１１と、上下筒体１０，１１間に介装されたバネ９とからなるもので、上部筒体１０の上端部に受け金具６を、下部筒体１１の下端部にフック部材７を夫々取り付けているから、バネ９により上部筒体１０と下部筒体１１の伸縮作用を有効に行わせて、受け金具６及びフック部材７を横材２２及び梁枠２に対し的確に嵌合・係止させることができる。また、各アーム５は、ストッパー１２によって、下部筒体１１からの上部筒体１０の抜け出しを阻止しているから、運搬や保管に便利であるとともに、取付作業が一層容易となる。
【００１０】
請求項３に係る発明によれば、幅木本体４の一端部にはこれに連接される他の妻側幅木Ａの幅木本体４の端部に重合して当該端部を内側から被う連接用カバー１３を取り付けているから、作業ステージＳの外周縁に沿った足場板妻側端部に複数の妻側幅木Ａを連続して取り付ける場合に、隣り合う一方の妻側幅木Ａの幅木本体４と他方の妻側幅木Ａの幅木本体４との対向端部間にできる隙間を塞ぐことができると共に、その連接部分の外観上の体裁を良くすることができる。
【図面の簡単な説明】
【００１１】
【図１】高所仮設ステージの全体を示す外観斜視図である。
【図２】(a) はこの高所仮設ステージに配設された妻側幅木の取付状態を示す正面図、(b) は平面図である。
【図３】図１の矢印Ｘで示す部分を上から見た斜視図である。
【図４】本発明に係る妻側幅木をステージの外側から見た斜視図である。
【図５】(a) は本発明に係る妻側幅木をステージの外側から見た正面図、(b) は平面図、(c) は右側面図である。
【図６】図２の(a) のＺ−Ｚ線断面図で、(a) は妻側幅木の取付時の状態を示す説明側面図、(b) は妻側幅木の取付けを終えた状態を示す説明側面図である。
【図７】図１の矢印Ｙで示す部分をステージの内側から見た斜視図で、(a) は作業員が妻側幅木を所定位置に取り付けている状態を示す説明斜視図、(b) は妻側幅木の取付けを終えた状態を示す説明斜視図である。
【発明を実施するための形態】
【００１２】
以下に本発明の好適な実施形態を図面に基づいて説明すると、図１には本発明の一実施形態による高所仮設ステージを示し、この高所仮設ステージは、夫々下端部にキャスター２４を取り付けた複数の楔緊結式支柱１の上部間に複数のトラス梁Ｔを平行に架設して、互いに隣り合うトラス梁Ｔ，Ｔの対向する梁枠（上弦材）２，２間に複数の足場板３を並列状態に架け渡すことにより作業ステージＳを形成したもので、この作業ステージＳの外周縁に沿った足場板桁側端部に桁側幅木Ｂが取り付けられ、作業ステージＳの外周縁に沿った足場板妻側端部に本発明に係る妻側幅木Ａが取り付けられている。各足場板３は、両端部に夫々突設されたフック３ａがトラス梁Ｔの梁枠２に係止される（図６参照）。尚、トラス梁Ｔは、支柱１の下部間及び中間部間にも架設されている。
【００１３】
妻側幅木Ａは、図２〜図５に示すように、作業ステージＳ上面の足場板妻側端部に起立姿勢に載置される幅木本体４と、この幅木本体４の外側面側に取付部材８を介して外側へ張り出すように立設した、上下方向に伸縮自在で常時はバネ９で伸張方向に付勢された複数（この実施形態では２つ）のアーム５と、各アーム５の上端部に設けた上向きコ字状の受け金具６及び各アーム５の下端部に設けた下向きＵ字状のフック部材７とによって構成される。
【００１４】
幅木本体４は、図４〜図６に示すように、アルミ合金材によって断面略コ字状に形成されたもので、その一端部にはこれに連接される他の妻側幅木Ａの幅木本体４の端部に重合して当該端部を内側から被う連接用カバー１３が取り付けられ、他端部にはコ字形金具１４が取り付けられている。連接用カバー１３は、幅木本体４と同様なアルミ合金材によって、図４及び図５に示すように幅木本体４の上端部分から内側面を被うような断面略倒Ｌ字状に形成され、このカバー１３の一端部が幅木本体４の一端部に被さった状態でリベット等の固定手段で固定されている。
【００１５】
各アーム５は、図４及び図６に示すように、角筒状の上部筒体１０と、この上部筒体１０よりも径大の角筒状で上部筒体１０に伸縮自在に外嵌され、幅木本体４の外側面側に取付部材８を介して外側へ一体的に張り出すように取り付けられる下部筒体１１と、上下両筒体１０，１１間に介装されたコイルバネ９とからなるもので、上部筒体１１の上端部に受け金具６が取り付けられ、下部筒体１１の下端部にフック部材７が取り付けられており、そして上下両筒体１０，１１間には下部筒体１１からの上部筒体１０の抜け出しを阻止するストッパー１２が介設されている。取付部材８は、幅木本体４の外側面に固着された取付基板８ａと、この取付基板８ａと下部筒体１１の下端部とを連結する上下２つの連結片８ｂ，８ｂとからなる。
【００１６】
上記ストッパー１２は、図６の(a) ，(b) に示すように、アーム５を構成する上部筒体１０の上端部に上下方向に長い長孔１５を貫設し、この長孔１５に下部筒体１１の上端部からボルト１６を挿通して、その挿通端部にナット１７を螺着したもので、常時は、下部筒体１１側のボルト１６が上部筒体１０側の長孔１５の下端部に係止することによって、上部筒体１０をコイルバネ９の付勢力で下部筒体１１から押し上げて伸張した状態に保持し、これにより下部筒体１１からの上部筒体１０の抜け出しを阻止し、この状態を図６の(b) に示す。この(b) に示す状態ではアーム５がトラス梁Ｔの梁枠２と手摺り２３の横材２２との間隔よりも長くなっているため、取り付けることができず、従って(a) に示すように上部筒体１０と下部筒体１１とをコイルバネ９の付勢に抗して互いに収縮させ、下部筒体１１側のボルト１６が上部筒体１０側の長孔１５の上端部に係止するような位置まで押し込むことにより、アーム５の長さが梁枠２と横材２２との間隔より短くなって、取付可能な状態となる。
【００１７】
各トラス梁Ｔは、図１及び図２の(a) に示すように、高所仮設ステージの両端にある長尺支柱１，１間に架設された上弦材である梁枠２と、この梁枠（上弦材）２と平行に配される下弦材１８と、梁枠２と下弦材１８とをつなぐ複数の斜材１９とによって構成され、そして上弦材である梁枠２の両端部は、周知の楔緊結式固定具２０により支柱１のフランジ２１に固定されている。また図１及び図２の(a) に示すように、作業ステージＳの外周縁に沿ったトラス梁Ｔにはその中間に２本の支柱１が立設され、これら中間の支柱１及び両端の支柱１とこれらをつなぐ上下２段の横材２２，２２（図１参照）とによって手摺り２３が仮設されている。
【００１８】
次に、妻側幅木Ａを作業ステージＳの外周縁に沿った足場板妻側端部に取り付ける方法について説明すると、先ず図７の(a) に示すように、作業者が両アーム５，５の下部筒体１１，１１を両手で掴んで、幅木本体４を手前側に引いてアーム５，５を前傾姿勢にした状態で両受け金具６，６を手摺り２３の下段側横材２２に下方より嵌合させ、この状態で下部筒体１１，１１を押し上げることによりアーム５，５を収縮させ、こうしてアーム５，５を収縮させたまま、両受け金具６，６を揺動中心としてアーム５，５を前方へ揺動させて、フック部材７，７をトラス梁Ｔの梁枠２に対し上方より係合させると、図７の(b) に示すように、各アーム５がコイルバネ９の付勢力で伸張して、受け金具６が横材２２に、またフック部材７が梁枠２に夫々押し付けられて固定されると同時に、幅木本体４が作業ステージＳ上面の足場板妻側端部に起立状態に載置されて固定される。
【００１９】
上記のように妻側幅木Ａを作業ステージＳの足場板妻側端部に取り付けるのに、作業者がアーム５，５を両手で掴んで前傾姿勢の状態で金具６を手摺り２３の下段側横材２２に下方より嵌合させ、この状態でアーム５を収縮させながら前方へ揺動させて、フック部材７をトラス梁Ｔの梁枠２に上方より係合させるようにすることで、幅木本体４を作業ステージＳ上面の足場板妻側端部に載置固定できるから、妻側幅木Ａの取付作業を簡単容易に且つ的確に行うことができる。
【００２０】
また各アーム５は、上部筒体１０と、上部筒体１０に伸縮自在に嵌合され、幅木本体４の外側面側に取付部材８を介して外側へ張り出すように取り付けられた下部筒体１１と、上下筒体１０，１１間に介装されたコイルバネ９とにより構成されていて、上部筒体１０の上端部に受け金具６が、下部筒体１１の下端部にフック部材７が夫々取り付けているから、コイルバネ９によって上部筒体１０と下部筒体１１との伸縮作用を有効に行わせて、受け金具６及びフック部材７を横材２２及び梁枠２に対し的確に嵌合・係止させることができる。
【００２１】
また各アーム５は、ストッパー１２によって、上部筒体１０と下部筒体１１とが互いにある程度圧縮された状態で、下部筒体１１からの上部筒体１０の抜け出しが阻止されているから、取付施工前の状態でアーム５の長さが不都合に長くならず、運搬や保管に便利であるとともに、取付作業が容易となる。
【００２２】
また、各妻側幅木Ａには幅木本体４の一端部に、この幅木本体４に連接される他の妻側幅木Ａの幅木本体４の端部に重合して当該端部を内側から被う連接用カバー１３を取り付けているから、作業ステージＳの外周縁に沿った足場板妻側端部に複数の妻側幅木Ａを連続して取り付ける場合に、隣り合う一方の妻側幅木Ａの幅木本体４と他方の妻側幅木Ａの幅木本体４との対向端部間にできる隙間を塞ぐことができると共に、その連接部分の外観上の体裁を良くすることができる。
【符号の説明】
【００２３】
Ａ            妻側幅木
Ｂ            桁側幅木
Ｔ            トラス梁
Ｓ            作業ステージ
１            支柱
２            トラス梁の上弦材（梁枠）
３            足場板
４            幅木本体
５            アーム
６            受け金具
７            フック部材
８            取付部材
９            コイルバネ
１０          上部筒体
１１          下部筒体
１２          ストッパー
１３          連接用カバー
２２          横材
２３          手摺り
【図１】
2010229699.tif 000003
【図２】
2010229699.tif 000004
【図３】
2010229699.tif 000005
【図４】
2010229699.tif 000006
【図５】
2010229699.tif 000007
【図６】
2010229699.tif 000008
【図７】
2010229699.tif 000009